(57)【要約】【課題】トラクタカバーが閉じてトラクタ用紙を押える直前まで手によってトラクタ用紙を押え続けられるようにする。【解決手段】トラクタカバー４１６に設けられた回動軸４５１と、トラクタ本体４１１の側部に設けられて回動軸４５１をトラクタ本体４１１の側面に対して近接離反自在に保持する回動軸保持部４６１と回動軸保持部４６１に保持された回動軸保持部４６１をトラクタ本体４１１の側面に対して押圧する弾性部材（板バネ４７１）とを有する保持機構と、トラクタカバー４１６が閉位置に位置する状態で接触部位４６２と接触状態となる閉位置部位４５３ａと、トラクタカバー４１６が開位置に位置する状態で接触部位４６２と接触状態となる開位置部位４５３ｂと、トラクタカバー４１６が中間位置に位置する状態で接触部位４７１ｃと接触状態となる中間位置部位とを有する回動部材４５３と、を備える。【選択図】図５
2009233932.tif 000002
【特許請求の範囲】
【請求項１】
複数のピンが外周面に突出形成されたピンベルトを回動自在に支持するトラクタ本体と、
前記トラクタ本体の上面に位置するトラクタカバーと、
前記トラクタカバーを、前記トラクタ本体の側部の回動中心を支点として、前記ピンベルトを覆う閉位置と前記ピンベルトの上面を開放する開位置との間で回動自在にする回動機構と、
を備え、
前記回動機構は、
前記トラクタカバーに設けられた前記回動中心となる回動軸と、
前記トラクタ本体の側部に設けられて、前記回動軸を前記トラクタ本体の側面に対して近接離反自在に保持する回動軸保持部と前記回動軸保持部に保持された前記回動軸を前記トラクタ本体の側面に対して押圧する弾性部材とを有する保持機構と、
前記トラクタカバーが前記閉位置に位置する状態で前記軸保持機構の一部である接触部位と接触状態となる閉位置部位と、前記トラクタカバーが前記開位置に位置する状態で前記接触部位と接触状態となる開位置部位と、前記回動軸の軸回り方向に前記閉位置部位と前記開位置部位との間に形成されて前記トラクタカバーが前記閉位置と前記開位置との間の中間位置に位置する状態で前記接触部位と接触状態となる中間位置部位とを有する回動部材と、
を備える、
トラクタ。
【請求項２】
前記弾性部材は、板バネである、請求項１記載のトラクタ。
【請求項３】
前記中間位置部位は、断面が直線状であり、
前記トラクタカバーが前記中間位置に位置する状態で前記中間位置部位が接触状態となる前記接触部位は、前記板バネに形成されている、
請求項２記載のトラクタ。
【発明の詳細な説明】
【技術分野】
【０００１】
本発明は、プリンタ等に設けられて用紙を搬送するトラクタに関する。
【背景技術】
【０００２】
従来、プリンタ等で印字部の上流側又は下流側に配置されてトラクタ用紙を搬送するトラクタがある（特許文献１〜３参照）。
【０００３】
トラクタは、複数のピンが設けられたピンベルトを回転自在に支持するトラクタ本体を有し、トラクタ用紙の両側部分に形成された送り孔にピンを差し込ませてピンベルトを回転させることにより、トラクタ用紙の搬送を実行する。
【０００４】
そして、トラクタ用紙の搬送中にトラクタ用紙が脱落してしまうことを防止するために、トラクタ本体の上面には、トラクタ用紙を押えるためのトラクタカバーが開閉自在に設けられている。
【０００５】
【特許文献１】特開平６−１２２２４７号公報
【特許文献２】特開平７−２２８３９７号公報
【特許文献３】特開２００３−２５２４９７公報
【発明の開示】
【発明が解決しようとする課題】
【０００６】
トラクタ用紙をトラクタにセットするためには、トラクタカバーを開けてトラクタ用紙の送り孔にピンを差し込ませた後に、再びトラクタカバーを閉める作業を行うことになる。
【０００７】
ところが、トラクタカバーを閉める際にトラクタ用紙がピンベルトから浮いてしまう等して、送り孔からピンが抜けた状態でトラクタカバーが閉じてしまうことがある。
【０００８】
そのため、このような不具合を防止するために、トラクタカバーが閉じるその直前まで手でトラクタ用紙を押えることが望ましい。
【０００９】
本発明の目的は、トラクタ用紙をセットする際に、トラクタカバーが閉じてトラクタ用紙を押える直前まで手でそのトラクタ用紙を押え続けることができるトラクタを提供することである。
【課題を解決するための手段】
【００１０】
本発明のトラクタは、複数のピンが外周面に突出形成されたピンベルトを回動自在に支持するトラクタ本体と、前記トラクタ本体の上面に位置するトラクタカバーと、前記トラクタカバーを、前記トラクタ本体の側部の回動中心を支点として、前記ピンベルトを覆う閉位置と前記ピンベルトの上面を開放する開位置との間で回動自在にする回動機構と、を備え、前記回動機構は、前記トラクタカバーに設けられた前記回動中心となる回動軸と、前記トラクタ本体の側部に設けられて、前記回動軸を前記トラクタ本体の側面に対して近接離反自在に保持する回動軸保持部と前記回動軸保持部に保持された前記回動軸を前記トラクタ本体の側面に対して押圧する弾性部材とを有する保持機構と、前記トラクタカバーが前記閉位置に位置する状態で前記軸保持機構の一部である接触部位と接触状態となる閉位置部位と、前記トラクタカバーが前記開位置に位置する状態で前記接触部位と接触状態となる開位置部位と、前記回動軸の軸回り方向に前記閉位置部位と前記開位置部位との間に形成されて前記トラクタカバーが前記閉位置と前記開位置との間の中間位置に位置する状態で前記接触部位と接触状態となる中間位置部位とを有する回動部材と、を備える。
【発明の効果】
【００１１】
本発明によれば、トラクタカバーが中間位置に位置する状態で中間位置部位と接触部位とが接触状態となり、両者の摩擦によってトラクタカバーは位置保持される。そのため、トラクタ用紙をセットする際に、トラクタカバーが閉じてトラクタ用紙を押える直前まで手でそのトラクタ用紙を押え続けることができる。
【発明を実施するための最良の形態】
【００１２】
本発明の実施の一形態について図１ないし図５に基づいて説明する。
【００１３】
図１は、事務機１０１を示す側面図である。事務機１０１は、各部を収納するハウジング２０１を備えている。なお、図１中、ハウジング２０１の一部を切り欠いて示している。
【００１４】
ハウジング２０１の前面側には情報を表示する表示部２０５が設けられている。また、表示部２０５の下方には、情報を入力する入力部としてキーボード２０６が設けられている。
【００１５】
ハウジング２０１の前面であって表示部２０５とキーボード２０６との間の位置には用紙を挿入する手差口２０７が形成されている。また、ハウジング２０１の上面部分には排紙口２１０が形成されている。そして、ハウジング２０１の内部には、手差口２０７から排紙口２１０に至る用紙経路２０８が形成されている。用紙経路２０８には対をなす搬送ローラ２０９が複数の配列されており、手差口２０７から挿入された用紙（例えば、単票用紙）は、搬送ローラ２０９の回転により搬送されて排紙口２１０に向けて案内される。なお、搬送ローラ２０９は、図示しないモータによって駆動されて回転するものである。
【００１６】
また、ハウジング２０１の内部には、排紙口２１０の下方位置であって用紙経路２０８の終端部分に印字部２０２が設けられている。印字部２０２は、用紙経路２０８を介して対向配置された印字ヘッド２０３と平型のプラテン２０４とを備えている。プラテン２０４はプラテンローラ等であってもよい。印字ヘッド２０３は、プラテン２０４の長手方向に沿って配置されたキャリア軸（図示せず）に移動可能に支持され、図示しない駆動部により往復駆動する。印字部２０２と排紙口２１０との間の用紙経路２０８には排紙ローラ２１１が設けられている。印字部２０２により印字済みとなった用紙は、排紙ローラ２１１によって排紙口２１０に向けて搬送されて排紙口２１０から排出される。
【００１７】
そして、ハウジング２０１の後方にはフレーム２２１が設けられ、フレーム２２１によってトラクタ３０１が支持されている。トラクタ３０１は、その一部がハウジング２０１の後方に突出する位置であり、また、印字部２０２の上流側で用紙経路２０８に連結する位置に配置されている。トラクタ３０１は、ピンベルト４１３（図３参照）の回転によってトラクタ用紙５０１を印字部２０２に向けて搬送し、用紙経路２０８に送り込む。
【００１８】
図２は、トラクタ用紙５０１を示す斜視図である。トラクタ用紙５０１の両側部には、一定の間隔で送り孔５０２が形成されている。また、トラクタ用紙５０１には、一定間隔で切り離し可能にミシン目５０３が形成されている。そして、トラクタ用紙５０１は、事務機１０１の後方の位置に置かれ、ミシン目５０３でジグザグに折りたたまれた状態からトラクタ３０１の搬送によって引出される。トラクタ用紙５０１は、一例として、複数枚の紙が重なって構成される伝票用紙である。
【００１９】
図３は、トラクタ３０１を示す斜視図である。なお、図３では、トラクタ３０１が備える一対のトラクタペア４０１の一方のみを示している。
【００２０】
トラクタペア４０１は、弧状に湾曲して後述する駆動軸３５１が貫通するトラクタ本体４１１を主体に構成されている。トラクタ本体４１１が形成する弧の内側は、ピンベルト４１３のピン４１２が送り孔５０２（図２参照）に差し込まれたトラクタ用紙５０１（図２参照）の下面を支持する案内面４１５（図５参照）となっている。
【００２１】
トラクタ本体４１１の内部の両端部分には２つの回転体（図示せず）が回転自在に設けられ、この２つの回転体に、エンドレス状のピンベルト４１３が掛け渡されている。ピンベルト４１３は、回転体の回転と一体に回転する。そして、一方の回転体には、駆動軸３５１が貫通しており、駆動軸３５１の回転力を受けることが可能となっている。したがって、ピンベルト４１３は、駆動軸３５１の回転によって回転体が回転駆動することにより、一体に回転する。なお、駆動軸３５１は、モータ（図示せず）の駆動力が所定の動力伝達機構（図示せず）を介して伝達されることにより、回転駆動する。
【００２２】
ピンベルト４１３の外周面には、トラクタ用紙５０１の送り孔５０２と等間隔にして、ピン４１２が突出形成されている。なお、ピン４１２の直径は、トラクタ用紙５０１の送り孔５０２の孔径よりも小さく形成されている。そのため、ピン４１２は、トラクタ用紙５０１の送り孔５０２に対して挿脱可能となっている。
【００２３】
このようなトラクタ本体４１１には、案内面４１５とピンベルト４１３とを覆う位置に、トラクタカバー４１６が設けられている。トラクタカバー４１６は、送り孔５０２にピン４１２が差し込まれたトラクタ用紙５０１を押えることで、ピンベルト４１３の回転によって強制搬送されるトラクタ用紙５０１の脱落を防止するものである。そして、トラクタカバー４１６は、トラクタ本体４１１の外側に位置する回動軸４５１を支点に回動自在である。次に、トラクタカバー４１６について、図３及び次に示す図４に基づいて説明する。
【００２４】
図４は、トラクタ３０１を示す分解斜視図である。なお、図４では、トラクタ３０１が備える一対のトラクタペア４０１の一方のみを示している。
【００２５】
トラクタカバー４１６にも、ピンベルト４１３のピン４１２との接触を避ける位置に、用紙搬送方向に沿って長孔４１８が形成されている。
【００２６】
図４（ａ）に示すように、トラクタカバー４１６の一側には、下方に向けて垂れ下がるようにして突出形成された一対のカバー片４５２が、トラクタカバー４１６と一体的に設けられている。そして、回動軸４５１は、この一対のカバー片４５２の下方端に突出形成されている。
【００２７】
一方でトラクタ本体４１１には、トラクタカバー４１６の回動軸４５１が嵌まり込む溝を有する一対の回動軸保持部４６１が、トラクタ本体４１１と一体的に設けられている。回動軸保持部４６１の溝は、嵌まり込んだ回動軸４５１が抜き出し可能に形成されている。つまり、回動軸４５１を回動軸保持部４６１に嵌まり込んだ状態から容易に抜き出すことはできる。
【００２８】
ただし、回動軸保持部４６１に嵌まり込んだ状態の回動軸４５１は、トラクタ本体４１１の側面から離反する方向（以下、抜き出し方向と呼ぶことがある）には移動自在となっているが、この抜き出し方向以外の方向への移動については回動軸保持部４６１によって規制されている。
【００２９】
トラクタカバー４１６が有する一対のカバー片４５２の間には、複数の面が形成された回動部材４５３が、両方のカバー片４５２と一体的に設けられている。回動部材４５３は、回動軸４５１が回動軸保持部４６１に嵌まり込んだ状態で、一対の回動軸保持部４６１の間に位置するトラクタ本体４１１の側面（以下、接触部位４６２と呼ぶ）に接する。接触部位４６２は、平坦な面である。回動部材４５３の詳細については、後述する（図５参照）。
【００３０】
そして、図４（ｂ）に示すように、回動軸４５１が回動軸保持部４６１から抜け出ずに回動軸保持部４６１に嵌まり込んだ状態を保持するために、回動部材４５３をトラクタ本体４１１の接触部位４６２の方向に押圧する弾性部材としての板バネ４７１がトラクタ本体４１１に取り付けられる。トラクタ本体４１１の接触部位４６２の下方位置には、トラクタ本体４１１から突出形成されたブロック状の板バネ取付片４７３が設けられており、板バネ４７１は、２つのネジ４７２によってこの板バネ取付片４７３に対して固定的に取り付けられる。
【００３１】
このような板バネ４７１は、一枚が２箇所で屈曲されて形成されたものであり、板バネ取付片４７３に取り付けられる面状の取付部位４７１ａと、取付部位４７１ａから延出してトラクタ本体４１１に向かうように湾曲する湾曲部位４７１ｂと、湾曲部位４７１ｂから下方に延出して取付部位４７１ａが板バネ取付片４７３に固定された状態で回動部材４５３に対して接触する面状の接触部位４７１ｃと、を有する。
【００３２】
板バネ取付片４７３に固定された板バネ４７１の接触部位４７１ｃが、回動部材４５３を押圧しているので、回動軸４５１は回動軸保持部４６１から脱落しない。こうして、トラクタカバー４１６は、回動軸４５１を支点に回動自在に保持される。
【００３３】
このように回動自在に保持された回動軸４５１は、抜き出し方向へ移動自在である一方で板バネ４７１によって接触部位４６２に向けて弾性的に押圧されている。そのため、外力を加えることにより、回動軸４５１は、接触部位４６２から離反する方向へ移動可能となっている。このとき、板バネ４７１は回動部材４５３によって押された状態となる。そして、この外力を解除すると、押された状態の板バネ４７１が復元して回動部材４５３を押圧し、回動軸４５１は接触部位４６２に近接する方向に移動する。このように、回動軸４５１は、接触部位４６２に対して近接離反可能となっており、その回動動作中においても接触部位４６２に対して近接離反可能である。
【００３４】
図５は、トラクタカバー４１６の回動状態を模式的に示す断面図である。なお、図５では、本来図示されない回動軸４５１についても図示している。
【００３５】
図５（ａ）は、図３に示したトラクタカバー４１６の位置状態と同じ状態を示している。以下、図５（ａ）に示す状態のトラクタカバー４１６の位置を「閉位置」と呼ぶ。「閉位置」に位置するトラクタカバー４１６は、ピン４１２が送り孔５０２に差し込まれた状態のトラクタ用紙５０１を押えて、搬送中の脱落を防止する。図５（ａ）に示すように、トラクタカバー４１６の裏面（ピンベルト４１３に対する面）には、ピンベルト４１３が回転移動する方向（つまり、用紙搬送方向）に沿って設けられた紙押え部材４１６ａが突出形成されている。「閉位置」に位置するトラクタカバー４１６は、この紙押え部材４１６ａがトラクタ用紙５０１を押えている。
【００３６】
そして、「閉位置」に位置する状態おいては、回動部材４５３は、板バネ４７１の接触部位４７１ｃによって押圧されており、トラクタ本体４１１の接触部位４６２に対して面接触状態となっている。つまり、回動部材４５３には、トラクタカバー４１６が「閉位置」に位置する状態で、接触部位４６２に接触する面状の部位（以下、閉位置部位４５３ａと呼ぶ）が形成されている。
【００３７】
前述したように、回動部材４５３は、その長手方向に沿って面（閉位置部位４５３ａを含む）が複数形成されているので、その断面は図５に示すように多角形のようになっている。
【００３８】
回動部材４５３は、さらに開位置部位４５３ｂを有する。開位置部位４５３ｂは、閉位置部位４５３ａに連続して形成されて閉位置部位４５３ａとほぼ直角をなす面状の部位であり、トラクタカバー４１６が「閉位置」に位置する状態で、下向きに位置する。
【００３９】
そしてさらに、回動部材４５３は、中間位置部位４５３ｃを有する。中間位置部位４５３ｃは、回動軸４５１に対して、閉位置部位４５３ａと開位置部位４５３ｂとがなす角の反対側となる位置に形成された面状の部位である。そのため、トラクタカバー４１６が「閉位置」に位置する状態では、中間位置部位４５３ｃは、案内面４１５の高さから板バネ４７１の接触部位４７１ｃの先端に向かうようにして傾斜している。
【００４０】
回動部材４５３の一部であるこれらの閉位置部位４５３ａ、開位置部位４５３ｂ、及び、中間位置部位４５３ｃは、平面状であるため、その断面は図５に示すようにいずれも直線である。
【００４１】
このような構成において、トラクタカバー４１６に対して、ピンベルト４１３及び案内面４１５から離反する方向に外力を加えると、トラクタカバー４１６は、回動軸を中心に回動し、回動部材４５３も一体に回動する。そして、この際、本実施の形態では、トラクタカバー４１６は、案内面４１５に対して約４５°の角度をもって位置保持されるのである。この位置を、以下、「中間位置」と呼ぶ。
【００４２】
図５（ｂ）は、「中間位置」に位置する状態のトラクタカバー４１６を示している。この状態のトラクタカバー４１６は、ピンベルト４１３の上面を開放していないものの、ピンベルト４１３又は案内面４１５の載せられた手（指）を挟まない角度で位置保持されている。
【００４３】
トラクタカバー４１６が「中間位置」に位置する状態では、板バネ４７１の接触部位４７１ｃは、回動部材４５３の中間位置部位４５３ｃを押圧している。
【００４４】
そして、回動部材４５３を押圧する板バネ４７１の接触部位４７１ｃと回動部材４５３の中間位置部位４５３ｃとの摩擦によって、回動部材４５３が位置保持され、トラクタカバー４１６も位置保持されている。
【００４５】
この状態では、回動部材４５３は、閉位置部位４５３ａと開位置部位４５３ｂとが形成する角部分が、トラクタ本体４１１の接触部位４６２と接している。しかし、本実施の形態の板バネ４７１は、わずかな外力によっては位置保持が解除されない力で回動部材４５３を押圧している。そして、この位置保持を解除するほどの外力を、さらにトラクタカバー４１６に対して、ピンベルト４１３及び案内面４１５から離反する方向に加えると、トラクタカバー４１６は、ピンベルト４１３の上面を開放する位置（以下、「開位置」と呼ぶ）に位置付けられる。
【００４６】
図５（ｃ）は、「開位置」に位置する状態のトラクタカバー４１６を示している。この状態では、回動部材４５３の開位置部位４５３ｂがトラクタ本体４１１の接触部位４６２と接触している。そして、回動部材４５３は板バネ４７１によって接触部位４６２に対して押圧されており、トラクタカバー４１６は「開位置」で位置保持されている。
【００４７】
トラクタカバー４１６が「開位置」に位置している状態では、ピンベルト４１３の上面が開放しているので、事務機１０１の使用者は、トラクタ用紙５０１の送り孔５０２にピンベルト４１３のピン４１２を容易に差し込ませることができる。つまり、事務機１０１の使用者は、トラクタ用紙５０１のセットに際しては、トラクタカバー４１６を「開位置」に位置させる。
【００４８】
事務機１０１の使用者は、送り孔５０２にピン４１２を差し込ませたならば、次に、トラクタカバー４１６を閉じることになる。このとき、事務機１０１の使用者は、ピン４１２が送り孔５０２から外れることのないように、トラクタ用紙５０１を手（指）で押えながら、トラクタカバー４１６を例えば他方の手で外力を加えて閉じるのである。
【００４９】
この際、本実施の形態によれば、トラクタカバー４１６に閉じる方向の外力が加えられると、板バネ４７１の接触部位４７１ｃと回動部材４５３の中間位置部位４５３ｃとが接触状態となり、両者の摩擦によって、トラクタカバー４１６は、まず「中間位置」に位置保持されることになる（図５（ｂ））。換言すれば、トラクタカバー４１６は、閉じる方向に外力が加えられるや否や「閉位置」（図５（ａ））に位置することはないのである。「中間位置」に位置するトラクタカバー４１６は、案内面４１５上の手を挟まないので、この状態であっても使用者はトラクタ用紙５０１をまだ押え続けることができる。そして、使用者は、トラクタ用紙５０１から手を離しながらトラクタカバー４１６を閉じることになる。
【００５０】
したがって、事務機１０１の使用者は、トラクタカバー４１６がトラクタ用紙５０１を押える直前まで、このトラクタ用紙５０１を押え続けることができる。
【００５１】
さらに、本実施の形態によれば、閉じる方向に外力を加えられたトラクタカバー４１６は、「中間位置」で位置保持されるので、「開位置」から「閉位置」へと勢い良く一度に閉じてしまうことがない。したがって、トラクタ用紙５０１を押える手がトラクタカバー４１６によって挟まれてしまうのではないかという使用者の恐怖感を取り除くことができる。
【図面の簡単な説明】
【００５２】
【図１】事務機を示す側面図である。
【図２】トラクタ用紙を示す斜視図である。
【図３】トラクタを示す斜視図である。
【図４】トラクタを示す分解斜視図である。
【図５】トラクタカバーの回動状態を模式的に示す断面図である。
【符号の説明】
【００５３】
３０１…トラクタ，４１１…トラクタ本体，４１２…ピン，４１３…ピンベルト，４１６…トラクタカバー，４５１…回動軸，４５３…回動部材，４５３ａ…閉位置部位，４５３ｂ…開位置部位，４５３ｃ…中間位置部位，４６１…回動軸保持部，４６２…接触部位，４７１…板バネ，４７１ｃ…接触部位
【図１】
2009233932.tif 000003
【図２】
2009233932.tif 000004
【図３】
2009233932.tif 000005
【図４】
2009233932.tif 000006
【図５】
2009233932.tif 000007